(57)【特許請求の範囲】
【請求項１】
汚物洗浄消毒機とオーバーフロー兼排気管で接続され、オーバーフロー兼排気管を介して前記汚物洗浄消毒機からの蒸気の回収と、オーバーフロー水の流通を行う洗浄及び消毒機用蒸気回収装置において、
冷却水を貯留したタンクと、
このタンク内に配置され、下部開口が前記オーバーフロー兼排気管を介して前記汚物洗浄消毒機に接続され、上部側に設けたオーバーフロー兼排気筒をタンク内で開口させた箱状の蒸気回収器と、
前記タンクの上壁に設けた空気抜き穴と、
を有することを特徴とする洗浄及び消毒機用蒸気回収装置。
【請求項２】
前記蒸気回収器は、その上面又は周囲面のいずれかの面に冷却フィンを列設していることを特徴とする請求項１記載の洗浄及び消毒機用蒸気回収装置。
【発明の詳細な説明】
【発明の属する技術分野】
本発明は、他機器への悪影響を防止することができる等の斬新な構成の洗浄及び消毒機用蒸気回収装置に関する。
【従来の技術】
従来の汚物洗浄消毒機に用いられる蒸気回収装置においては、図１１に示すように、オーバーフロー兼排気管５０を備え、オーバーフロー水が流れるオーバーフロー兼排気管５０の一部に蒸気を排出する蒸気排出口５１を設けて、汚物洗浄消毒機からの蒸気を前記蒸気排出口５１から外気に向けて排出するようにしている。
【発明が解決しようとする課題】
しかしながら、このような従来におけるオーバーフロー兼排気管５０の構成の場合、一次蒸気消毒の排気処理が蒸気を外気にそのまま出すものであるため、洗浄槽内の蒸気圧力が上がると前記蒸気排出口５１から直接蒸気が外部に出てしまい機外への蒸気洩れを防ぐことができなかった。
このため、オーバーフロー兼排気管５０の壁面の結露、他機器への障害（電気機器壁面のダメージ等）を及ぼすという問題が生じていた。
本発明は、上記事情に鑑みてなされたものであり、オーバーフロー兼排気管から外部への蒸気の流出を無くし、壁面等への結露防止、他機器への悪影響防止を図ることができる洗浄及び消毒機用蒸気回収装置を提供することを目的とするものである。
【課題を解決するための手段】
上記課題を解決するために、請求項１記載の洗浄及び消毒機用蒸気回収装置は、汚物洗浄消毒機とオーバーフロー兼排気管で接続され、オーバーフロー兼排気管を介して前記汚物洗浄消毒機からの蒸気の回収と、オーバーフロー水の流通を行う洗浄及び消毒機用蒸気回収装置において、冷却水を貯留したタンクと、このタンク内に配置され、下部開口が前記オーバーフロー兼排気管を介して前記汚物洗浄消毒機に接続され、上部側に設けたオーバーフロー兼排気筒をタンク内で開口させた箱状の蒸気回収器と、前記タンクの上壁に設けた空気抜き穴とを有することを特徴とするものである。
請求項２記載の発明は、請求項１記載の洗浄及び消毒機用蒸気回収装置において、前記蒸気回収器は、その上面又は周囲面のいずれかの面に冷却フィンを列設していることを特徴とするものである。
本発明によれば、汚物洗浄消毒機内の蒸気圧力が上がると、冷却水の入ったタンク内の蒸気回収器内を圧力蒸気が通過し、圧力蒸気が冷やされ水滴となりタンク内に貯留し、又はオーバーフロー兼排気筒から蒸気回収器内、オーバーフロー兼排気管を経て汚物洗浄消毒機へ流下する。一方、圧力のかかった空気は前記空気抜き穴から外部に流出する。
これにより、装置外への蒸気の流出を無くし、壁面等への結露、他機器への悪影響を防止する（電気機器壁面のダメージを防止する等）ことができる。
また、前記蒸気回収器には、その周囲面のいずれかの面に冷却フィンを列設構成することができ、特に、前記蒸気回収器の上面に冷却フィンを列設する構成とすることで、一層効果的に圧力蒸気の冷却を行い、蒸気の冷却効果の増大と冷却時間短縮を図ることにより、装置外への蒸気の流出を有効に防止することができる。
【発明の実施の形態】
以下に本発明の実施の形態について図面を参照して詳細に説明する。
図１は本発明の実施の形態の汚物洗浄消毒機及び蒸気回収装置全体の配管センサ・系統図を示すものである。
汚物洗浄消毒機１は、洗浄用ポンプＰ１を接続したヘッダ２０と各種電磁弁を介して接続された消毒機本体１Ａと、蒸気発生器３と、消毒機本体１Ａの排出口１ｂの下部に配置した水濡れセンサＳ６付きの露受け皿４と、本実施の形態の蒸気回収装置１０に蒸気を供給し、且つ、オーバーフロー水を回収するオーバーフロー兼排気管５とを有している。
前記消毒機本体１Ａは、温度検出用の温度センサＳ１、排水管の詰まりを検出する排水管詰まりセンサＳ７を備えるとともに、例えば４〜６個構成の外洗ノズル６、回転ノズル７、例えば３〜５個構成の尿器ノズル８及び内洗ノズル９を備えている。
前記蒸気発生器３は、加湿ヒータ３ａ、過昇サーモＳ２を備え、給湯系から加湿電磁弁ＳＶ３を介して送られてくる湯水を加湿ヒータ３ａにより加湿し、蒸気を消毒機本体１Ａ内に供給するようになっている。
前記ヘッダ２０と外洗ノズル６との間の管路には、外洗電磁弁ＳＶ９、ＳＶ４が接続されヘッダ２０から消毒機本体１Ａ内の各外洗ノズル６へ供給する洗浄水の供給を制御するようになっている。
また、前記ヘッダ２０と回転ノズル７との間の管路には、回転電磁弁ＳＶ５及びＳＶ６が接続されヘッダ２０から消毒機本体１Ａ内の回転ノズル７へ供給する洗浄水の供給を制御するようになっている。
ヘッダ２０と尿器ノズル８との間の管路には、尿器電磁弁ＳＶ７が接続されヘッダ２０から消毒機本体１Ａ内の尿器ノズル８へ供給する洗浄水の供給を制御するようになっている。
同様に、ヘッダ２０と内洗ノズル９との間の管路には、内洗電磁弁ＳＶ８が接続されヘッダ２０から消毒機本体１Ａ内の内洗ノズル９へ供給する洗浄水の供給を制御するようになっている。
前記蒸気回収装置１０は、シスターンタンク１１内に蒸気回収器１２を備えるとともに、前記洗浄用ポンプＰ１、洗剤用ポンプＰ２、リンス用ポンプＰ３を各々接続している。
更に、給水系から給水電磁弁ＳＶ１を介して、給湯系から給湯電磁弁ＳＶ２を介して、各々前記蒸気回収装置１０に対して給水、給湯するように構成している。
前記洗剤用ポンプＰ２には、渇水センサＳ８付きの洗浄用タンク１３が、前記リンス用ポンプＰ３には、渇水センサＳ８付きのリンスタンク１４が各々接続されている。
前記蒸気回収装置１０を構成するシスターンタンク１１内の蒸気回収器１２には、オーバーフロー兼排気筒１２ｂ、空気抜き穴１７が設けられている。
また、シスターンタンク１１には満水センサＳ３、中間センサＳ４、渇水センサＳ５が配置されている。
次に、前記シスターンタンク１１、蒸気回収器１２の構成について、図２乃至図１０を参照して以下に詳述する。
前記シスターンタンク１１は、図２乃至図６に示すように、全体として箱形状で、正面下部に凹部を有する形状に形成され、内部に冷却水を貯留するとともに、蒸気回収器１２を収納している。シスターンタンク１１の上面には図２、図３に示すように、給水ホース口２１を有し、また、前記シスターンタンク１１の背面には、図６に示すように、満水センサＳ３、中間センサＳ４、渇水センサＳ５が上、中、下の配置で設けられている。更に、前記シスターンタンク１１の底面には、図４に示すように、前記洗浄用ポンプＰ１が接続されるポンプ口２２を設けている。
シスターンタンク１１の内部に収納した蒸気回収器１２の構成を図７乃至図９に示す。
この蒸気回収器１２は、前記シスターンタンク１１内に収納可能な寸法の箱形状に形成され、シスターンタンク１１から下方に突出させる下部開口１２ａが前記オーバーフロー兼排気管５を介して前記汚物洗浄消毒機１に接続され、上部側に設けたオーバーフロー兼排気筒１２ｂの突出端を、図３に示すように、シスターンタンク１１内で空気中に開口させている。
更に、蒸気回収器１２の上面には、図７、図８に示すように、帯板状の冷却フィン２３を多数平行配置に列設している。本発明においては、この冷却フィン２３は、図示例のように蒸気回収器１２の上面に設けて構成する他、蒸気回収器１２の周囲面のいずれかの面に設けて構成しても良い。
また、前記シスターンタンク１１の上壁には、図２に示すように、空気流出用の空気抜き穴１７が、前記オーバーフロー兼排気筒１２ｂの突出端とは異なる位置となる配置で穿設されている。
以上説明した汚物洗浄消毒機１用の蒸気回収装置１０によれば、シスターンタンク１１内での蒸気の処理を行うものであるため、コンパクトな構成とすることができる。
そして、実際に前記汚物洗浄消毒機１内の蒸気圧力が上がると、図１０に示すように、冷却水の入ったシスターンタンク１１内の蒸気回収器１２内を圧力蒸気が通過し、圧力蒸気が冷やされ水滴となりシスターンタンク１１内に貯留し、又はオーバーフロー兼排気筒１２ｂから蒸気回収器１２内、オーバーフロー兼排気管５を経て汚物洗浄消毒機１へ流下する。
一方、水分が除去され圧力のかかった空気のみが前記空気抜き穴１７から外部に流出する。これにより、装置外への蒸気の流出を無くし、壁面等への結露、他機器への悪影響を防止する（電気機器壁面のダメージを防止する等）ことができる。
また、本発明においては、前記冷却フィン２３を蒸気回収器１２の上面、下面、左面、右面のいずれかの面に設けて構成しても良いが、図７、図８に示す例のように蒸気回収器１２の上面に冷却フィン２３を列設した場合、一層効果的に圧力蒸気の冷却を行い、蒸気の冷却効果の増大と冷却時間短縮を図り、装置外への蒸気の流出をより有効に防止することができる。
【発明の効果】
本発明によれば、装置外への蒸気の流出を無くし、壁面等への結露、他機器への悪影響を防止することができる洗浄及び消毒機用蒸気回収装置を提供することができる。また、効果的に圧力蒸気の冷却を行い、蒸気の冷却効果の増大と冷却時間短縮を図ることができる洗浄及び消毒機用蒸気回収装置を提供することができる。
【図面の簡単な説明】
【図１】本発明の実施の形態の汚物洗浄消毒機、蒸気回収装置の配管・センサ系統図である。
【図２】本実施の形態の蒸気回収装置の平面図である。
【図３】本実施の形態の蒸気回収装置の正面図である。
【図４】本実施の形態の蒸気回収装置の底面図である。
【図５】本実施の形態の蒸気回収装置の右側面図である。
【図６】本実施の形態の蒸気回収装置の背面図である。
【図７】本実施の形態の蒸気回収器の平面図である。
【図８】本実施の形態の蒸気回収器の正面図である。
【図９】本実施の形態の蒸気回収器の右側面図である。
【図１０】本実施の形態の蒸気回収装置の動作説明図である。
【図１１】従来の蒸気回収装置のオーバーフロー兼排気管を示す部分断面図である。
【符号の説明】
１      汚物洗浄消毒機
１Ａ    消毒機本体
１ｂ    排出口
３      蒸気発生器
３ａ    加湿ヒータ
４      露受け皿
５      オーバーフロー兼排気管
６      外洗ノズル
７      回転ノズル
８      尿器ノズル
９      内洗ノズル
１０      蒸気回収装置
１１      シスターンタンク
１２      蒸気回収器
１２ａ    下部開口
１２ｂ    オーバーフロー兼排気筒
１３      洗浄用タンク
１４      リンスタンク
１７      空気抜き穴
２０      ヘッダ
２１      給水ホース口
２２      ポンプ口
２３      冷却フィン
Ｐ１    洗浄用ポンプ
Ｐ２    洗剤用ポンプ
Ｐ３    リンス用ポンプ
Ｓ１    温度センサ
Ｓ２    過昇サーモ
Ｓ３    満水センサ
Ｓ４    中間センサ
Ｓ５    渇水センサ
Ｓ６    水漏れセンサ
Ｓ７    排水管詰まりセンサ
Ｓ８    渇水センサ
ＳＶ１  給水電磁弁
ＳＶ２  給湯電磁弁
ＳＶ３  加湿電磁弁
ＳＶ４  外洗電磁弁
ＳＶ５  回転電磁弁
ＳＶ６  回転電磁弁
ＳＶ７  尿器電磁弁
ＳＶ８  内洗電磁弁
【図１】
0003764931.tif 000002
【図２】
0003764931.tif 000003
【図３】
0003764931.tif 000004
【図４】
0003764931.tif 000005
【図５】
0003764931.tif 000006
【図６】
0003764931.tif 000007
【図７】
0003764931.tif 000008
【図８】
0003764931.tif 000009
【図９】
0003764931.tif 000010
【図１０】
0003764931.tif 000011
【図１１】
0003764931.tif 000012